(57)【要約】【課題】遊技球の発射精度を低下させることなく、遊技領域までピアノ線が挿入されることを防止できるパチンコ機を提供する。【解決手段】遊技球が流下する遊技領域を有する遊技盤（３）と、この遊技盤を内側に保持する前面枠（２）と、この前面枠にヒンジ（５０）を介して開閉自在に取り付けられたガラス扉（４）と、前記前面枠の下側に設けられ、遊技球を収容する受皿（５）と、この受皿に収容された遊技球を前記遊技領域に向けて発射する発射装置（９）と、この発射装置から発射された遊技球を前記遊技領域へと導く遊技球発射レール（３０）と、を備えたパチンコ機において、遊技球発射レールは、外側レール（３２）と内側レール（３３）とを備え、外側レールは遊技盤に設けられ、内側レールはガラス扉の裏面に設けられるようにした。【選択図】図１
2010269086.tif 000002
【特許請求の範囲】
【請求項１】
遊技球が流下する遊技領域を有する遊技盤と、この遊技盤を内側に保持する前面枠と、この前面枠にヒンジを介して開閉自在に取り付けられたガラス扉と、前記前面枠の下側に設けられ、遊技球を収容する受皿と、この受皿に収容された遊技球を前記遊技領域に向けて発射する発射装置と、この発射装置から発射された遊技球を前記遊技領域へと導く遊技球発射レールと、を備えたパチンコ機において、
前記遊技球発射レールは、前記ヒンジ側に位置する外側レールと、この外側レールより内側に対向して配置される内側レールとを備え、前記外側レールと前記内側レールとの間の部分が遊技球の滑走する滑走路となっており、
前記外側レールは前記遊技盤に設けられ、前記内側レールは前記ガラス扉の裏面に設けられる
ことを特徴とするパチンコ機。
【発明の詳細な説明】
【技術分野】
【０００１】
本発明は、遊技球を用いて遊技を行うパチンコ機に関する。
【背景技術】
【０００２】
一般に、パチンコ機は、遊技球が流下する遊技領域を有する遊技盤と、この遊技盤を内側に保持する前面枠と、この前面枠にヒンジを介して開閉自在に取り付けられたガラス扉と、前記前面枠の下側に設けられ、遊技球を収容する受皿と、この受皿に収容された遊技球を前記遊技領域に向けて発射する発射装置と、この発射装置から発射された遊技球を前記遊技領域へと導く遊技球発射レールと、を備えて構成されている。この遊技球発射レールは、通常、ヒンジ側に位置する外側レールと、この外側レールより内側に位置する内側レールとを備えており、これら外側レールと内側レールとは共に遊技盤に立設され、この外側レールと内側レールとの間の部分が遊技球の滑走する滑走路となっている。つまり、発射装置から発射された遊技球は、外側レールと内側レールの間を通って遊技領域に打ち出されるのである。
【０００３】
また、遊技盤には、特別図柄に係る電子抽選の契機となる特定入賞口（始動口）が設けられており、特定入賞口に遊技球が入賞して電子抽選に当選すると大当たり遊技に移行するため、多くの賞球を獲得できる。また、遊技盤には一般入賞口も設けられており、この一般入賞口に遊技球が入賞すると、所定個数の賞球が獲得できるようになっている。
【０００４】
しかしながら、遊技盤には釘が設けられているため、これらの入賞口に狙いを定めて遊技球を発射したとしても、なかなか遊技球が入賞しないようになっている。つまり、入賞口へ遊技球が入賞する確率が、遊技者の技量如何で大幅に変動することのないように、釘などによって遊技の公平性が担保されているのである。
【０００５】
ところで、近年になって、前面枠とガラス扉の間の隙間からピアノ線などを差し込んで、遊技球が入賞口に入賞しやすいように釘を曲げるなどして、遊技球が入賞口に入賞する確率を上昇させて、不正に利益を得ようとする行為（所謂、ゴト行為）が頻発している。そのため、前面枠とガラス扉の隙間の部分を覆い隠すような部材を設けて、ピアノ線の侵入を防止する対策も取られている。また、特許文献１に示すように、遊技球発射レールのうち、外側レールをガラス扉に設け、内側レールを遊技盤に設けるようにした構造も公知となっている。
【０００６】
かかる構造によれば、外側レールはガラス扉に設けられ、内側レールは遊技盤に設けられているので、前面枠とガラス扉との間の隙間からピアノ線を挿入し、外側レールと遊技盤との間の隙間にピアノ線を侵入させるまではできるが、そのままピアノ線を侵入させると、内側レールは遊技盤に設けられているため、ピアノ線は内側レールにぶつかってしまう。よって、ピアノ線の侵入を遊技領域の手前の内側レールで阻止することができ、不正対策として一定の効果は期待できる。
【先行技術文献】
【特許文献】
【０００７】
【特許文献１】特開２００８−７９７５９号公報（図３）
【発明の概要】
【発明が解決しようとする課題】
【０００８】
しかしながら、上記従来の技術では、外側レールがガラス扉に取り付けられているため、外側レールの取付け状態が不安定となっていた。つまり、ガラス扉は前面枠にヒンジで取り付けられるため、ヒンジのガタつきによって外側レールまでガタつきが生じてしまうといった問題があった。このことは、遊技球の発射精度を低下させる要因になっていた。即ち、遊技球は、外側レールを滑走しながら遊技領域までたどり着くようになっているところ、外側レールがガタついているため、遊技球の滑走がスムーズでなくなり、その結果、遊技球の発射精度が低下してしまうことになっていた。
【０００９】
本発明は、上記した実情に鑑みてなされたものであり、その目的は、遊技球の発射精度を低下させることなく、遊技領域までピアノ線が挿入されることを防止できるパチンコ機を提供することにある。
【課題を解決するための手段】
【００１０】
上記目的を達成するため、本発明は、遊技球が流下する遊技領域を有する遊技盤と、この遊技盤を内側に保持する前面枠と、この前面枠にヒンジを介して開閉自在に取り付けられたガラス扉と、前記前面枠の下側に設けられ、遊技球を収容する受皿と、この受皿に収容された遊技球を前記遊技領域に向けて発射する発射装置と、この発射装置から発射された遊技球を前記遊技領域へと導く遊技球発射レールと、を備えたパチンコ機において、前記遊技球発射レールは、前記ヒンジ側に位置する外側レールと、この外側レールより内側に対向して配置される内側レールとを備え、前記外側レールと前記内側レールとの間の部分が遊技球の滑走する滑走路となっており、前記外側レールは前記遊技盤に設けられ、前記内側レールは前記ガラス扉の裏面に設けられる構成とした。
【００１１】
この構成によれば、外側レールは遊技盤に設けられるため、ヒンジのガタつきがあったとしても、外側レール自体がガタつくことはない。よって、発射精度が低下することはない。しかも、外側レールとガラス扉との隙間にピアノ線が侵入してきたとしても、内側レールはガラス扉の裏面に設けられているため、ピアノ線の侵入は、この内側レールによって阻止される。よって、ピアノ線が遊技領域内まで到達することはできないため、不正行為に晒される心配はないのである。
【発明の効果】
【００１２】
本発明によれば、発射精度が低下することなく、しかも、ピアノ線等を挿入させて不正に遊技を行うといった行為を抑止できる。
【図面の簡単な説明】
【００１３】
【図１】本発明の実施の形態例に係るパチンコ機の外観斜視図である。
【図２】図１に示すパチンコ機の中心部分を水平方向に切断した横断面図のうち、ヒンジ側の一部分を拡大した部分拡大横断面図である。
【図３】図１に示すパチンコ機の不正行為に対する効果を説明するための図である。
【発明を実施するための形態】
【００１４】
以下、発明の実施の形態例を図面を参照して説明する。図１に示すように、本発明の実施の形態例に係るパチンコ機は、遊技場の島設備に設置される縦長方形状の機枠１と、機枠１に扉状に開閉自在に取り付けられた前面枠２と、前面枠２の内側に収容された遊技盤３と、前面枠２の前面にヒンジ５０を介して開閉自在に取り付けられ、中央に大きく開口部８が形成されたガラス扉４と、このガラス扉４の開口部８に取り付けられた透明なガラス板１０と、前面枠２の下側に開閉自在に配設され、遊技球を収容する受皿５を有する前面ボード６と、前面枠２の下部に設けられた発射装置９と、前面ボード６に取り付けられたハンドル７等を具備している。
【００１５】
遊技盤３は、その盤面に遊技領域３１を有しており、前面枠２に装着した後、ガラス板１０から遊技領域３１を観察することができる。遊技領域３１は、遊技球を滑走させるガイドレール（外側レール）３２と遊技球規制レール（内側レール）３３によって略円形状となるように区画形成されており、発射装置９によって打ち出された遊技球は、ガイドレール３２と遊技球規制レール３３との間に形成された部分を滑走して、この遊技領域３１へと導かれる。即ち、ガイドレール３２と遊技球規制レール３３とにより、遊技球発射レール３０が形成されている。
【００１６】
また、遊技領域３１内には、図示しないが、特別図柄表示装置、演出表示装置、スルーチャッカ、普通図柄表示装置、電動チューリップ、ステージ、始動入賞口、一般入賞口、アウト口３９、遊技釘、風車、アタッカー装置等が設けられている。
【００１７】
前面ボード６には遊技球を収容するとともに、外部に排出可能な受皿５が取り付けられている。この受皿５は、遊技者が投入した遊技球を収容するだけでなく、賞球払出装置（図示せず）から賞球として払い出された遊技球も収容可能となっている。また、遊技球を遊技領域３１に向けて発射するための発射装置９が前面枠２の下部に取り付けられており、受皿５に収容されている遊技球がこの発射装置９に１個ずつ供給される。そして、前面ボード６の右下に取り付けられたハンドル７を回動させると、その回動量に応じた発射強度で発射装置９が遊技球を遊技領域３１へと発射することができるようになっている。
【００１８】
次に、本発明の実施の形態例に係るパチンコ機の遊技球発射レール３０について詳細に説明する。外側レールであるガイドレール３２は、ステンレス製の板状部材を湾曲させた状態で遊技盤３に立設されている。また、内側レールである遊技球規制レール３３は、ステンレス製の板状部材を湾曲させた状態でガラス扉４の裏面に立設されている。より具体的には、ガラス扉４に取り付けられたガラス板１０の縁部に沿って湾曲するように設けられている。そして、ガラス扉４を閉めた状態で、図２に示すようにガイドレール３２と遊技球規制レール３３とが対向するように配置され、これらのレール間に遊技球が１個滑走可能な空間が形成される。発射装置９から発射された遊技球は、ガイドレール３２の面上を滑走しながらこの空間内を通って、遊技領域３１に導かれる。なお、遊技球発射レール３０の出口の部分には、板バネ状の球戻り防止弁が設けられており、いったん遊技領域３１に入った遊技球は、この球戻り防止弁により遊技球発射レール３０に逆流することがないようになっている。
【００１９】
このように構成されたパチンコ機によれば、図３に示すように、ガイドレール３２とガラス扉４との間の隙間Ｘからピアノ線を挿入したとしても、遊技球規制レール３３にぶつかってしまい、ピアノ線の遊技領域３１への侵入が阻止される。つまり、隙間Ｘからピアノ線が侵入しても、隙間Ｙに侵入するには、ピアノ線がクランク状に折れ曲がらないといけないため、ピアノ線がこれ以上侵入するのは困難である。よって、本実施形態によれば、ピアノ線を用いて不正に賞球を獲得するといった行為を抑止することができるのである。
【００２０】
また、ガイドレール３２は遊技盤３に設けられているので、ガラス扉４のヒンジ５０にガタつきが生じても、このヒンジ５０のガタつきがガイドレール３２の取り付け状態に影響を及ぼすことはない。つまり、ヒンジ５０がガタついても、ガイドレール３２はガタつかない。よって、本実施形態によれば、遊技球の発射精度に悪影響を及ぼすこともないのである。
【００２１】
なお、ガイドレール３２の先端に弾性体からなる隙間防止部材を取り付け、ガラス扉４を閉めた時に、この隙間防止部材とガラス扉４とが当接することにより隙間Ｘが埋まるようにしても良い。また、同様に、遊技球規制レール３３の先端部に隙間防止部材と取り付けて、ガラス扉４を閉めた時に、遊技盤３と隙間防止部材とが当接して隙間Ｙを埋めるようにすることもできる。これらの構成を採用すると、隙間が塞がれる結果、より一層不正防止効果が期待できることとなる。
【符号の説明】
【００２２】
２  前面枠
３  遊技盤
４  ガラス扉
５  受皿
９  発射装置
３１  遊技領域
３０  遊技球発射レール
３２  ガイドレール（外側レール）
３３  遊技球規制レール（内側レール）
５０  ヒンジ
【図１】
2010269086.tif 000003
【図２】
2010269086.tif 000004
【図３】
2010269086.tif 000005